(57)【要約】【課題】識別事項に基づいて、メモリカードなどの記録媒体から読み出されるデータを自動的に振り分けて記憶することである。【解決手段】データ記憶制御装置としてのＰＣ１０において、データ読出部のスロットＡ又はＢに、記録媒体としてのメモリカード２１がセットされると、当該メモリカード２１に記録されたデータを読み出し、セットしたスロットがＡであるかＢであるかに基づいて、その読み出したデータを、そのスロットに対応付けられた記憶手段の記憶領域に記憶させる。【選択図】図１
2005235018.tif 000002
【特許請求の範囲】
【請求項１】
記録媒体からデータを読み出す複数のデータ読出部と、当該データ読出部を介して記録媒体に記録されたデータを読み出して少なくとも１つの記憶手段内の記憶領域に記憶させる制御部と、を備えるデータ記録制御装置において、
前記少なくとも１つの記憶手段は、複数の記憶領域を有し、
前記各データ読出部は、前記複数の記憶領域のうちの少なくとも１つに対応付けられ、
前記制御部は、前記データ読出部に記録媒体がセットされると、当該データ読出部を介して当該記録媒体に記録されたデータを読み出し、その読み出したデータを当該データ読出部に対応付けられた記憶領域に記憶させることを特徴とするデータ記憶制御装置。
【請求項２】
記録媒体からデータを読み出すデータ読出部と、当該データ読出部を介して記録媒体に記録されたデータを読み出して少なくとも１つの記憶手段内の記憶領域に記憶させる制御部と、を備えるデータ記録制御装置において、
前記少なくとも１つの記憶手段は、複数の記憶領域を有し、
前記記録媒体は、複数の識別情報のうちの１つに対応付けられ、
前記各識別情報は、前記複数の記憶領域のうちの少なくとも１つに対応付けられ、
前記制御部は、前記データ読出部に記録媒体がセットされると、当該データ読出部を介して当該記録媒体に記録されたデータを読み出し、当該記録媒体に対応付けられた識別情報に基づいて、前記読み出したデータを当該記録媒体に対応付けられた記憶領域に記憶させることを特徴とするデータ記憶制御装置。
【請求項３】
前記識別情報は、前記記録媒体内のデータを使用するユーザ及びプログラムのうちの少なくとも１つの識別情報であることを特徴とする請求項２に記載のデータ記憶制御装置。
【請求項４】
前記識別情報は、前記記録媒体に記録される識別情報であることを特徴とする請求項２又は３に記載のデータ記憶制御装置。
【請求項５】
情報を操作入力する操作部を備え、
前記識別情報は、前記操作部を介して操作入力される識別情報であることを特徴とする請求項２から４のいずれか一項に記載のデータ記憶制御装置。
【請求項６】
コンピュータに、
複数のデータ読出部を介して記録媒体に記録されたデータを読み出して少なくとも１つの記憶手段内の記憶領域に記憶させる制御機能を実現させるためのプログラムにおいて、
前記少なくとも１つの記憶手段は、複数の記憶領域を有し、
前記各データ読出部は、前記複数の記憶領域のうちの少なくとも１つに対応付けられ、
前記制御機能は、前記データ読出部に記録媒体がセットされると、当該データ読出部を介して当該記録媒体に記録されたデータを読み出し、その読み出したデータを当該データ読出部に対応付けられた記憶領域に記憶させることを特徴とするプログラム。
【請求項７】
コンピュータに、
データ読出部から記録媒体に記録されたデータを読み出して少なくとも１つの記憶手段内の記憶領域に記憶させる制御機能を実現させるためのプログラムにおいて、
前記少なくとも１つの記憶手段は、複数の記憶領域を有し、
前記記録媒体は、複数の識別情報のうちの１つに対応付けられ、
前記各識別情報は、前記複数の記憶領域のうちの少なくとも１つに対応付けられ、
前記制御機能は、前記データ読出部に記録媒体がセットされると、当該データ読出部を介して当該記録媒体に記録されたデータを読み出し、当該記録媒体に対応付けられた識別情報に基づいて、前記読み出したデータを当該記録媒体に対応付けられた記憶領域に記憶させることを特徴とするプログラム。
【請求項８】
前記識別情報は、前記記録媒体内のデータを使用するユーザ及びプログラムのうちの少なくとも１つの識別情報であることを特徴とする請求項７に記載のプログラム。
【請求項９】
前記識別情報は、前記記録媒体に記録される識別情報であることを特徴とする請求項７又は８に記載のプログラム。
【請求項１０】
前記識別情報は、操作入力される識別情報であることを特徴とする請求項７から９のいずれか一項に記載のプログラム。
【発明の詳細な説明】
【技術分野】
【０００１】
本発明は、記録媒体に記録されたデータの記憶制御を行うデータ記憶制御装置及びプログラムに関する。
【背景技術】
【０００２】
従来、デジタルカメラなどで撮影された画像データが携帯式のメモリカードに記憶され、そのメモリカードからＰＣ（Personal Computer）などの機器にデータを移すことが行われていた。例えば、画像データが記録されているメモリカードをＰＣのスロットにセットし、そのＰＣが、そのメモリカードから画像データを読出して、自装置内のＨＤＤ（Hard Disk Drive）に格納していた。
【０００３】
また、メモリカードから読み出した画像データをＣＤ−Ｒ（CD Recordable）などの記録媒体に記録する記録装置が考えられている（例えば、特許文献１参照）。
【特許文献１】特開２００１−３１９４１０号公報
【発明の開示】
【発明が解決しようとする課題】
【０００４】
しかし、従来の構成では、メモリカードのデータを、そのスロットやユーザなどの各種識別事項に基づいて自動的に振り分けて記憶することができなかった。
【０００５】
本発明の課題は、識別事項に基づいて、メモリカードなどの記録媒体から読み出されるデータを自動的に振り分けて記憶することである。
【課題を解決するための手段】
【０００６】
以上の課題を解決するために、請求項１に記載の発明は、
記録媒体からデータを読み出す複数のデータ読出部と、当該データ読出部を介して記録媒体に記録されたデータを読み出して少なくとも１つの記憶手段内の記憶領域に記憶させる制御部と、を備えるデータ記録制御装置において、
前記少なくとも１つの記憶手段は、複数の記憶領域を有し、
前記各データ読出部は、前記複数の記憶領域のうちの少なくとも１つに対応付けられ、
前記制御部は、前記データ読出部に記録媒体がセットされると、当該データ読出部を介して当該記録媒体に記録されたデータを読み出し、その読み出したデータを当該データ読出部に対応付けられた記憶領域に記憶させることを特徴とする。
【０００７】
ここに、記録媒体とは、少なくともデータが記録されて読み出し可能な媒体とし、例えば、メモリカード、メモリキー、ＣＤ、ＣＤ−Ｒ、ＣＤ−ＲＷ（CD-ReWritable）、ＤＶＤ（Digital Versatile Disc）、ＤＶＤ−Ｒ、ＤＶＤ−ＲＷ、携帯ハードディスク、青色レーザを用いる大容量情報記録媒体などとするが、デジタルカメラなどのように、データを内部に記憶可能な機器を含めることとしてもよい。また、記憶手段とは、少なくともデータが記憶可能で、データ記録制御装置の内部又は外部に設けられる手段とし、例えば、ＨＤＤ、メモリキー、ＣＤ−Ｒ、ＣＤ−ＲＷ、ＤＶＤ−ＲＷ、メモリカード、携帯ハードディスク、青色レーザを用いる大容量情報記録媒体などである。
【０００８】
請求項２に記載の発明は、
記録媒体からデータを読み出すデータ読出部と、当該データ読出部を介して記録媒体に記録されたデータを読み出して少なくとも１つの記憶手段内の記憶領域に記憶させる制御部と、を備えるデータ記録制御装置において、
前記少なくとも１つの記憶手段は、複数の記憶領域を有し、
前記記録媒体は、複数の識別情報のうちの１つに対応付けられ、
前記各識別情報は、前記複数の記憶領域のうちの少なくとも１つに対応付けられ、
前記制御部は、前記データ読出部に記録媒体がセットされると、当該データ読出部を介して当該記録媒体に記録されたデータを読み出し、当該記録媒体に対応付けられた識別情報に基づいて、前記読み出したデータを当該記録媒体に対応付けられた記憶領域に記憶させることを特徴とする。
【０００９】
請求項３に記載の発明は、請求項２に記載のデータ記録制御装置において、
前記識別情報は、前記記録媒体内のデータを使用するユーザ及びプログラムのうちの少なくとも１つの識別情報であることを特徴とする。
【００１０】
請求項４に記載の発明は、請求項２又は３に記載のデータ記録制御装置において、
前記識別情報は、前記記録媒体に記録される識別情報であることを特徴とする。
【００１１】
請求項５に記載の発明は、請求項２から４のいずれか一項に記載のデータ記録制御装置において、
情報を操作入力する操作部を備え、
前記識別情報は、前記操作部を介して操作入力される識別情報であることを特徴とする。
【００１２】
請求項６に記載の発明は、
コンピュータに、
複数のデータ読出部を介して記録媒体に記録されたデータを読み出して少なくとも１つの記憶手段内の記憶領域に記憶させる制御機能を実現させるためのプログラムにおいて、
前記少なくとも１つの記憶手段は、複数の記憶領域を有し、
前記各データ読出部は、前記複数の記憶領域のうちの少なくとも１つに対応付けられ、
前記制御機能は、前記データ読出部に記録媒体がセットされると、当該データ読出部を介して当該記録媒体に記録されたデータを読み出し、その読み出したデータを当該データ読出部に対応付けられた記憶領域に記憶させることを特徴とする。
【００１３】
ここに、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えばパソコン（ＰＣ）、ＤＶＤプレーヤ、ＤＶＤレコーダ、ゲーム機、ポータブルディスクライタ、ホームサーバ、ホームサーバ、ゲーム機、センタサーバ、ポータブルＨＤＤ装置、カーナビゲーションシステムなど）を問わない。したがって、本発明にかかるプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下同様）。
【００１４】
請求項７に記載の発明は、
コンピュータに、
データ読出部から記録媒体に記録されたデータを読み出して少なくとも１つの記憶手段内の記憶領域に記憶させる制御機能を実現させるためのプログラムにおいて、
前記少なくとも１つの記憶手段は、複数の記憶領域を有し、
前記記録媒体は、複数の識別情報のうちの１つに対応付けられ、
前記各識別情報は、前記複数の記憶領域のうちの少なくとも１つに対応付けられ、
前記制御機能は、前記データ読出部に記録媒体がセットされると、当該データ読出部を介して当該記録媒体に記録されたデータを読み出し、当該記録媒体に対応付けられた識別情報に基づいて、前記読み出したデータを当該記録媒体に対応付けられた記憶領域に記憶させることを特徴とする。
【００１５】
請求項８に記載の発明は、請求項７に記載のプログラムにおいて、
前記識別情報は、前記記録媒体内のデータを使用するユーザ及びプログラムのうちの少なくとも１つの識別情報であることを特徴とする。
【００１６】
請求項９に記載の発明は、請求項７又は８に記載のプログラムにおいて
前記識別情報は、前記記録媒体に記録される識別情報であることを特徴とする。
【００１７】
請求項１０に記載の発明は、請求項７から９のいずれか一項に記載のプログラムにおいて、
前記識別情報は、操作入力される識別情報であることを特徴とする。
【発明の効果】
【００１８】
請求項１又は６に記載の発明によれば、データ読出部に記録媒体がセットされると、当該記録媒体に記録されたデータを読み出し、その読み出したデータを当該データ読出部に対応付けられた記憶領域に記憶させるので、データ読出部に基づいて、記録媒体から読み出したデータを自動的に振り分けて記憶することができる。
【００１９】
請求項２又は７に記載の発明によれば、データ読出部に記録媒体がセットされると、当該記録媒体に記録されたデータを読み出し、当該記録媒体に対応付けられた識別情報に基づいて、当該読み出したデータを記録媒体に対応付けられた記憶領域に記憶させるので、識別情報に基づいて、記録媒体から読み出したデータを自動的に振り分けて記憶することができる。
【００２０】
請求項３又は８に記載の発明によれば、識別情報は、前記記録媒体内のデータを使用するユーザ及びプログラムのうちの少なくとも１つの識別情報であるので、ユーザ及びプログラムのうちの少なくとも１つに基づいて、記録媒体から読み出したデータを自動的に振り分けて記憶することができる。
【００２１】
請求項４又は９に記載の発明によれば、識別情報は、記録媒体に記録される識別情報であるので、記録媒体から読み出す識別情報に基づいて、記録媒体から読み出したデータを自動的に振り分けて記憶することができる。
【００２２】
請求項５又は１０に記載の発明によれば、識別情報は、操作入力される識別情報であるので、操作入力する識別情報に基づいて、記録媒体から読み出したデータを自動的に振り分けて記憶することができる。
【発明を実施するための最良の形態】
【００２３】
以下、添付図を参照して本発明に係る第１、第２及び第３の実施の形態を詳細に説明する。ただし、発明の範囲は、図示例に限定されない。
【００２４】
（第１の実施の形態）
図１〜図４を参照して、本発明に係る第１の実施の形態を説明する。先ず、図１及び図２を参照して本実施の形態の装置の特徴を説明する。図１に、本実施の形態のＰＣ１０の構成を示す。図２に、ＰＣ１０の内部構成を示す。
【００２５】
図１に示すように、データ記憶制御装置としてのＰＣ１０は、記録媒体としてのメモリカード２１用のスロットＡ及びＢを設ける構成である。メモリカード２１は、画像データなどのデータが電気的にデータ書き換え可能に記録される不揮発性の半導体素子の記録媒体である。
【００２６】
図２に示すように、ＰＣ１０は、ＣＰＵ（Central Processing Unit）１１と、操作部１２と、ＲＡＭ（Random Access Memory）１３と、表示部１４と、記憶手段としての記憶部１５と、通信部１６と、データ読出部としてのメモリカード読み書き部１７Ａ，１７Ｂと、記憶手段としてのＤＶＤ−Ｒ読み書き部１８と、を備えて構成され、各部がバス１９に接続される。
【００２７】
ＣＰＵ１１は、ＰＣ１０内の各部を中央制御する。ＣＰＵ１１は、記憶部１５に格納されているシステムプログラム及び各種アプリケーションプログラムの中から指定されたプログラムをＲＡＭ１３に展開し、ＲＡＭ１３に展開されたプログラムとの協働で、各種処理を実行する。この処理の実行主体を、制御部１１１とする。
【００２８】
操作部１２は、カーソルキー、数字入力キー及び各種機能キーなどを備えたキーボードを含む構成とする。操作部１２は、操作者によりキーボードで押下された押下信号をＣＰＵ１１に出力する。また、操作部１２は、マウスなどのポインティングデバイスを含む構成としてもよい。
【００２９】
表示部１４は、ＬＣＤ（Liquid Crystal Display）、ＣＲＴ（Cathode Ray Tube）などで構成され、ＣＰＵ１１からの表示信号に従って、画面表示を行う。記憶部１５は、各種プログラム、各種データなどが記録されて読み書き可能な記録媒体としてのＨＤＤを少なくとも有するものとする。
【００３０】
通信部１６は、外部機器との通信を行うためのネットワークカードなどにより構成され、通信ネットワークなどを介して接続された外部機器と通信を行う。
【００３１】
メモリカード読み書き部１７Ａは、スロットＡを含み、スロットＡにセットされたメモリカード２１に記録されたデータを読み出し、またセットされたメモリカード２１に、各種データを書き込むことが可能である。メモリカード読み書き部１７Ｂは、スロットＢを含み、スロットＢにセットされたメモリカード２１に記録されたデータを読み出し、またセットされたメモリカード２１に、各種データを書き込むことが可能である。スロットＡ及びＢは、同じ規格のメモリカード２１がセットされることとしてもよい。また、メモリカード読み書き部１７Ａ，１７Ｂは、それぞれ、メモリカード２１がセットされると、そのセットされたスロットＡ又はＢの識別情報をＣＰＵ１１に出力する。
【００３２】
ＤＶＤ−Ｒ読み書き部１８は、ＤＶＤ−Ｒ２２とともに記憶手段を構成する。ＤＶＤ−Ｒ読み書き部１８は、セットされたＤＶＤ−Ｒ２２に記録されたデータを読み出し、またセットされたＤＶＤ−Ｒ２２に、各種データを書き込んで記録することが可能である。
【００３３】
なお、本実施の形態では、メモリカード２１のスロットが、Ａ及びＢの２つとして説明するが、これに限定されるものではなく、スロット数を３以上としてもよい。
【００３４】
次に、図３及び図４を参照して、ＰＣ１０の動作を説明する。図３に、第１のスロット認識動作処理を示す。図４に、第２のスロット認識動作処理を示す。第１のスロット認識動作処理は、メモリカード２１がスロットＡにセットされた場合に、メモリカード２１に記憶された画像データ（及び音楽データ）を、ＤＶＤ−Ｒ２２に記録する処理である。第２のスロット認識動作処理は、メモリカード２１がスロットＢにセットされた場合に、メモリカード２１に記憶された画像データ（及び音楽データ）を記憶部１５のＨＤＤの特定領域に記憶する処理である。つまり、スロットＡ，Ｂそれぞれに別の記憶手段を対応付けてデータ記憶させるものである。
【００３５】
先ず、図３を参照して、第１のスロット認識動作処理を説明する。ＰＣ１０において、操作部１２を介して操作者により第１のスロット認識動作処理の実行指示が入力されたことなどをトリガとして、ＣＰＵ１１は、記憶部１５から読み出されてＲＡＭ１３に格納されている第１のスロット認識動作プログラムとの協働で、第１のスロット認識動作処理を実行する。第１のスロット認識動作処理の各ステップの実行主体は、特に言及する場合を除き、制御部１１１であるものとし、以下の他の処理でも同様であるものとする。
【００３６】
先ず、メモリカード２１がスロットＡにセットされたことを検出したか否かが判別される（ステップＳ３１）。操作者は、任意のタイミングでスロットＡにメモリカード２１をセットする。メモリカード２１のスロットＡへのセットが検出されない場合（ステップＳ１１；ＮＯ）、ステップＳ１１に移行される。
【００３７】
メモリカード２１のスロットＡへのセットが検出された場合（ステップＳ１１；ＹＥＳ）、メモリカード読み書き部１７Ａを介して、スロットＡにセットされたメモリカード２１に記憶されたデータが読み出される（ステップＳ１２）。そして、ステップＳ１２で読み出されたデータのデータ形式が（ＤＶＤ−Ｒ２２への）記憶対象のものか否かが判別される（ステップＳ１３）。ここでは、例えば、データ形式が所定の画像データ形式であるか否かが判別される。所定の画像データとしては、例えば、静止画の画像データとしてのＪＰＥＧ、ＢＭＰ、ＴＩＦＦ、ＧＩＦなどの形式の画像データや、動画の画像データとしてのＡＶＩ、ＭＰＥＧ１、ＭＰＥＧ２、ＭＰＥＧ４、ＷＭＶなどの形式の画像データである。
【００３８】
データ形式が記憶対象のものである場合（ステップＳ１３；ＹＥＳ）、ＤＶＤ−Ｒ読み書き部１８に未記録のＤＶＤ−Ｒ２２がセットされているか否かが判別される（ステップＳ１４）。未記録のＤＶＤ−Ｒ２２がセットされていない場合（ステップＳ１４；ＮＯ）、操作者に未記録のＤＶＤ−Ｒ２２の、ＤＶＤ−Ｒ読み書き部１８へのセットを促す旨のメッセージ画面が表示部１４に表示され（ステップＳ１５）、ステップＳ１４に移行される。
【００３９】
未記録のＤＶＤ−Ｒ２２がセットされた場合（ステップＳ１４；ＹＥＳ）、ステップＳ１２において読み出された画像データと、音楽データとが、ＤＶＤプレーヤ、ＤＶＤレコーダ、ゲーム機、ＤＶＤカーナビゲーションシステムなどのＡＶ機器用の、ＤＶＤ−Ｖｉｄｅｏ形式などの画像及び音楽を含む映像データに変換される（ステップＳ１６）。また、変換される音楽データは、記憶部１５に予め記憶されている音楽データや、メモリカード２１に記録されている音楽データなどが用いられる。また、ＡＶ機器としては、ＶＣＤプレーヤなどの、他の形式のものとしてもよく、ＡＶ機器形式の映像データとしては、Ｖｉｄｅｏ−ＣＤ形式、ＨＤＴＶ（High Definition Television）形式などの、他の形式のものとしてもよい。
【００４０】
そして、ＤＶＤ−Ｒ２２に記録するために、その記録領域のディレクトリ及びファイル構成が設定される。具体的には、ディレクトリ名及びそのディレクトリ下のファイル構造が設定され、またステップＳ１２において読み出された記憶対象のデータのファイル名と、ステップＳ１６において変換されたＡＶ機器形式の映像データのファイル名とが設定される（ステップＳ１７）。ディレクトリ名としては、例えば、データ記録する場所を識別するロケーションＩＤ、データ書き込み日時、書き込み装置を識別する装置番号、通番などが含められる。ＡＶ機器形式のファイル名も上述のディレクトリ名と同様である。ステップＳ１２において読み出された記憶対象のデータのファイル名としては、例えば、画像ファイルの画像種別（元画像、サムネイル、スクリーンネイルなど）、データ記録日時、通番などが含められる。スクリーンネイルとは、例えば、ＳＶＧＡ（Super Video Graphics Array）や、ＸＧＡ（eXtended Graphics Array）などの、ＰＣ機器のディスプレイサイズいっぱいに表示可能な大きさの解像度の画像である。
【００４１】
そして、ステップＳ１７において設定されたディレクトリ及びファイルに基づいて、ステップＳ１２において読み出された画像データ（あるいは画像データ及び音楽データ）が、ステップＳ１６において変換されたＡＶ機器用の映像データとともに、ＤＶＤ−Ｒ読み書き部１８を介して未記録のＤＶＤ−Ｒ２２に記録され（ステップＳ１８）、第１のスロット認識動作処理が終了される。ＡＶ機器用の映像データは、例えば、ＤＶＤ−Ｒ２２の記録領域の最も内側に記録されるものとするが、これに限定されるものではない。
【００４２】
データ形式が記憶対象のものでない場合（ステップＳ１３；ＮＯ）、データ記憶対象のデータが記録されたメモリカード２１の、スロットＡへのセットを促す旨のメッセージ画面が表示部１４に表示され（ステップＳ１９）、第１のスロット認識動作処理が終了される。
【００４３】
次いで、図４を参照して、第２のスロット認識動作処理を説明する。ＰＣ１０において、操作部１２から第２のスロット認識動作処理の実行指示が入力されたことなどをトリガとして、ＣＰＵ１１は、記憶部１５から読み出されてＲＡＭ１３に格納されている第２のスロット認識動作プログラムとの協働で、第２のスロット認識動作処理を実行する。
【００４４】
先ず、メモリカード２１がスロットＢにセットされたことを検出したか否かが判別される（ステップＳ２１）。操作者は、任意のタイミングでスロットＢにメモリカード２１をセットする。メモリカード２１のスロットＢへのセットが検出されない場合（ステップＳ２１；ＮＯ）、ステップＳ２１に移行される。
【００４５】
メモリカード２１のスロットＢへのセットが検出された場合（ステップＳ２１；ＹＥＳ）、メモリカード読み書き部１７Ｂを介して、スロットＢにセットされたメモリカード２１に記憶されたデータが読み出される（ステップＳ２２）。そして、図３のステップＳ１３と同様にして、ステップＳ２２で読み出されたデータのデータ形式が（記憶部１５への）データ記憶対象のものか否かが判別される（ステップＳ２３）。例えば、データ形式が所定の画像データ形式であるか否かが判別される。
【００４６】
データ形式が記憶対象のものである場合（ステップＳ２３；ＹＥＳ）、図３のステップＳ１７と同様にして、記憶対象のデータを記憶部１５に記憶するために、その記憶領域のディレクトリ及びファイル構成が設定される。具体的には、ディレクトリ名及びそのディレクトリ下のファイル構造が設定され、またステップＳ２２において読み出された記憶対象のデータのファイル名が設定される（ステップＳ２４）。
【００４７】
そして、ステップＳ２４において設定されたディレクトリ及びファイル構成に基づいて、ステップＳ２２において読み出された画像データ（あるいは画像データ及び音楽データ）が、記憶部１５のＨＤＤの所定領域に記憶され（ステップＳ２５）、第２のスロット認識動作処理が終了される。データ形式が記憶対象のものでない場合（ステップＳ２３；ＮＯ）、データ記憶対象のデータが記録されたメモリカード２１の、スロットＢへのセットを促す旨のメッセージ画面が表示部１４に表示され（ステップＳ２６）、第２のスロット認識動作処理が終了される。
【００４８】
以上、本実施の形態によれば、ＰＣ１０は、スロットＡ又はＢにメモリカード２１がセットされると、当該メモリカード２１に記録されたデータを読み出し、スロットがＡであるかＢであるかに基づいて、その読み出したデータをスロットＡに対応付けられたＤＶＤ−Ｒ２２の記憶領域に記憶させるか、あるいは、その読み出したデータをスロットＢに対応付けられた記憶部１５のＨＤＤの記憶領域に記憶させる。このため、読み出したスロットに基づいて、メモリカード２１から読み出したデータを自動的に振り分けて記憶することができる。
【００４９】
なお、本実施の形態では、第１のスロット認識動作処理において、メモリカード２１内の画像データ（及び音楽データ）をＡＶ機器用の映像データに変換してＤＶＤ−Ｒに記録する構成としたが、これに限定されるものではなく、ＡＶ機器用の映像データへの変換及び記憶を行わない構成としてもよい。また、第２のスロット認識動作処理において、メモリカード２１内の画像データ（及び音楽データ）をＡＶ機器用の映像データに変換して記憶部１５のＨＤＤに記録する構成としてもよく、以下の第２及び第３の実施の形態でも同様である。
【００５０】
また、本実施の形態では、メモリカード２１がセットされるスロットが異なると、異なる記憶手段（ＤＶＤ−Ｒ読み書き部１８、記憶部１５）にデータ記憶される構成としたが、これに限定されるものではない。例えば、メモリカード２１がセットされるスロットが異なると、同一の記憶手段内の異なる記憶領域にデータ記憶される構成としてもよい。
【００５１】
（第２の実施の形態）
図５〜図７を参照して第２の実施の形態を説明する。図５に、ユーザ認識動作処理を示す。図６に、表示画面の一例を示し、（ａ）に表示画面１４１を示し、（ｂ）に表示画面１４２を示し、（ｃ）に表示画面１４３を示し、（ｄ）に表示画面１４４を示す。図７に、ユーザ認識動作処理におけるデータ格納の一例を示す。
【００５２】
本実施の形態の装置として、第１の実施の形態のＰＣ１０を用いる。但し、スロットＡ，Ｂ（メモリカード読み書き部１７Ａ，１７Ｂ）のいずれにメモリカード２１をセットしても処理動作はお互いに変わらないものとする。また、本実施の形態において、ＰＣ１０のスロットが１つであることとしてもよい。
【００５３】
次いで、図５及び図６を参照して、本実施の形態におけるＰＣ１０の動作を説明する。本実施の形態において、メモリカード２１は、ユーザ登録が可能なものとする。ユーザ登録されたメモリカード２１は、登録したユーザの識別情報が格納されるものとする。また、ＰＣ１０において、ユーザ認識動作処理が実行される。ユーザ認識動作処理は、メモリカード２１に記録されたデータを、記憶部１５内の、ユーザごとに異なる記憶領域に格納する処理である。以下、説明を簡単にするために、ユーザが、ユーザＣ，Ｄの２名である場合について説明するが、これに限定されるものではなく、ユーザが３名以上であるとしてもよい。
【００５４】
ＰＣ１０において、操作部１２から操作者によりユーザ認識動作処理の実行指示が入力されたことなどをトリガとして、ＣＰＵ１１は、記憶部１５から読み出されてＲＡＭ１３に格納されているユーザ認識動作プログラムとの協働で、ユーザ認識動作処理を実行する。
【００５５】
先ず、メモリカード２１がスロットＡ又はＢにセットされたことを検出したか否かが判別される（ステップＳ３１）。ユーザは、任意のタイミングでスロットＡ又はＢにメモリカード２１をセットする。メモリカード２１のスロットＡ又はＢへのセットが検出されない場合（ステップＳ３１；ＮＯ）、ステップＳ３１に移行される。
【００５６】
メモリカード２１のスロットＡ又はＢへのセットが検出された場合（ステップＳ３１；ＮＯ）、メモリカード読み書き部１７Ａを介して、スロットＡ又はＢにセットされたメモリカード２１に記憶されたデータが読み出される（ステップＳ３２）。そして、ステップＳ３２で読み出されたデータに基づいて、ユーザの識別情報がメモリカード２１内に記録されているか否かが判別される（ステップＳ３３）。
【００５７】
そして、ユーザの識別情報がメモリカード２１内に記録されていない場合（ステップＳ３３；ＮＯ）、ユーザ登録選択画面が表示部１４に表示される（ステップＳ３４）。ユーザ登録選択画面としては、例えば、図６（ａ）に示すような画面１４１が表示される。画面１４１には、ユーザ登録の承認ボタン１４１１と、ユーザ登録のキャンセルボタン１４１２とが含まれる。
【００５８】
そして、操作部１２を介して操作者により入力された、ユーザ登録をするか否かの入力に基づいて、ユーザ登録するか否かが判別される（ステップＳ３５）。ユーザ登録しない場合（ステップＳ３５；ＮＯ）、ユーザ認識動作処理が終了される。
【００５９】
ユーザ登録する場合（ステップＳ３５；ＹＥＳ）、ユーザ登録画面が表示部１４に表示されて、操作者による操作部１２を介したユーザの識別情報入力に基づいて、ユーザ登録が行われる（ステップＳ３６）。ユーザ登録画面としては、例えば、図６（ｂ）に示すような画面１４２が表示される。画面１４２には、識別情報としてのユーザ名を入力する入力部１４２１と、ユーザ登録完了の承認ボタン１４２２と、ユーザ登録完了のキャンセルボタン１４２３とが含まれる。
【００６０】
そして、操作部１２を介して操作者により入力された、ユーザ登録を完了するか否かの入力に基づいて、ユーザ登録を完了するか否かが判別される（ステップＳ３７）。ユーザ登録を完了しない場合（ステップＳ３７；ＮＯ）、ユーザ認識動作処理が終了される。ユーザ登録を完了する場合（ステップＳ３７；ＹＥＳ）、ステップＳ３２で読み出されたデータのデータ形式が（記憶部１５への）記憶対象のものか否かが判別される（ステップＳ３８）。ここでは、例えば、データ形式が所定の画像データ形式であるか否かが判別される。
【００６１】
データ形式が記憶対象のものである場合（ステップＳ３８；ＹＥＳ）、ステップＳ３２において読み出されたユーザの識別情報又はステップＳ３６において登録されたユーザの識別情報が参照され、ユーザがＣ又はＤのいずれであるかが判別される（ステップＳ３９）。ユーザがＣである場合（ステップＳ３９；Ｃ）、ユーザＣに対応するデータ記憶選択画面が表示部１４に表示される（ステップＳ４０）。データ記憶選択画面としては、例えば、図６（ｃ）に示すような画面１４３が表示される。但し、ユーザＣは、山田太郎とする。画面１４３には、データ記憶の承認ボタン１４３１と、データ記憶のキャンセルボタン１４３２とが含まれる。
【００６２】
そして、メモリカード２１に記録されたデータを記憶部１５のＨＤＤに格納するか否かが判別される（ステップＳ４１）。データを記憶部１５のＨＤＤに格納しない場合（ステップＳ４１；ＮＯ）、ユーザ認識動作処理が終了される。
【００６３】
データを記憶部１５のＨＤＤに格納する場合（ステップＳ４１；ＹＥＳ）、その記録領域のディレクトリ及びファイル構成が設定される。具体的には、ディレクトリ名及びそのディレクトリ下のファイル構造が設定され、またステップＳ３２において読み出された記憶対象のデータのファイル名が設定される（ステップＳ４２）。ディレクトリ名としては、例えば、データ記録する場所を識別するロケーションＩＤ、データ書き込み日時、書き込み装置を識別する装置番号、通番などが含められる。記憶対象のデータのファイル名としては、例えば、画像ファイルの画像種別（元画像、サムネイル、スクリーンネイルなど）、データ記録日時、通番などが含められる。
【００６４】
そして、ステップＳ４２において設定されたディレクトリ及びファイル構成に基づいて、メモリカード２１に記録されたデータが記憶部１５のＨＤＤのユーザＣに対応する所定領域に記憶され（ステップＳ４３）、ユーザ認識動作処理が終了される。
【００６５】
ユーザがＤである場合（ステップＳ３９；Ｄ）のステップＳ４４〜Ｓ４７は、ステップＳ４０〜Ｓ４３の各ステップをユーザＤに適用したものである。ステップＳ４４において表示されるデータ記憶選択画面としては、例えば、図６（ｄ）に示すような画面１４４が表示される。但し、ユーザＤは、山田花子とする。画面１４４には、データ記憶の承認ボタン１４４１と、データ記憶のキャンセルボタン１４４２とが含まれる。
【００６６】
データ形式が記憶対象のものでない場合（ステップＳ３８；ＮＯ）、記憶対象のデータが記録されたメモリカード２１の、スロットＡ又はＢへのセットを促す旨のメッセージ画面が表示部１４に表示され（ステップＳ４８）、ユーザ認識動作処理が終了される。
【００６７】
次に、図７を参照して、ユーザ識別動作処理によるデータ格納の一例を説明する。先ず、例えば、メモリカード２１のディレクトリ構造２１Ｃに画像データが記憶されている。画像データは、ディレクトリ２１Ｃ１に格納される。ユーザの識別情報２１Ｃ２は、例えば、ユーザ名、ユーザＩＤ、パスワード、ユーザに関する記憶部１５内のディレクトリ名などが格納される。
【００６８】
そして、ステップＳ４２において、ディレクトリ構造２１Ｃ内のＪＰＥＧの画像データのファイル名と、ディレクトリ１５Ｃ３のディレクトリ名と、元画像データ、サムネイル、スクリーンネイルなどのファイル名とが設定される。ディレクトリ１５Ｃ３は、ユーザＣ専用のデータを格納する新しいディレクトリである。そして、ステップＳ４３において、記憶部１５のＨＤＤ内の「Ｓｔｏｒａｇｅ」ディレクトリ１５Ｃ下の、ユーザＣ専用のディレクトリ１５Ｃ１の下に、ユーザＣに関して以前に記憶されたファイルのディレクトリ１５Ｃ２が存在する構成において、ディレクトリ１５Ｃ１の下に、ディレクトリ１５Ｃ３が新たに格納される。ディレクトリ１５Ｃ３の下には、ステップＳ４２において設定された各種ファイルが格納される。
【００６９】
以上、本実施の形態によれば、スロットＡ又はＢにメモリカード２１がセットされると、当該メモリカード２１に記録されたデータを読み出し、当該メモリカード２１に対応付けられたユーザの識別情報に基づいて、当該読み出したデータを、メモリカード２１に対応付けられた記憶部１５のＨＤＤの記憶領域に記憶させる。このため、ユーザごとに、メモリカード２１から読み出したデータを自動的に振り分けて記憶することができる。
【００７０】
また、ユーザの識別情報がメモリカード２１に記録される識別情報である場合に、メモリカード２１から読み出したユーザの識別情報に基づいて、メモリカード２１から読み出したデータを自動的に振り分けて記憶することができる。
【００７１】
また、ユーザの識別情報が操作部１２を介して操作入力される識別情報である場合に、識別情報がメモリカード２１に記録されていなくても、操作入力する識別情報に基づいて、メモリカード２１から入力したデータを自動的に振り分けて記憶することができる。
【００７２】
（第３の実施の形態）
図８〜図１０を参照して第３の実施の形態を説明する。図８に、アプリケーション認識動作処理を示す。図９に、表示画面の一例を示し、（ａ）に表示画面１４５を示し、（ｂ）に表示画面１４６を示し、（ｃ）に表示画面１４７を示し、（ｄ）に表示画面１４８を示す。図１０に、アプリケーション認識動作処理におけるデータ格納の一例を示す。
【００７３】
本実施の形態の装置として、第１の実施の形態のＰＣ１０を用いる。但し、スロットＡ，Ｂ（メモリカード読み書き部１７Ａ，１７Ｂ）のいずれにメモリカード２１をセットしても処理動作はお互いに変わらないものとする。また、本実施の形態において、ＰＣ１０のスロットが１つであることとしてもよい。
【００７４】
次いで、図８及び図９を参照して、本実施の形態におけるＰＣ１０の動作を説明する。本実施の形態において、メモリカード２１は、アプリケーションプログラム（ソフトウェア）（以下、簡単のためにアプリケーションとする）登録が可能なものとする。アプリケーション登録されたメモリカード２１は、登録したアプリケーションの識別情報が格納されるものとする。また、ＰＣ１０において、アプリケーション認識動作処理が実行される。アプリケーション認識動作処理は、メモリカード２１に記録されたデータを、記憶部１５内の、アプリケーションごとに異なる記憶領域に格納する処理である。以下、説明を簡単にするために、アプリケーションが、アプリケーションＥ，Ｆの２種類である場合について説明するが、これに限定されるものではなく、アプリケーションが３つ以上であるとしてもよい。
【００７５】
ＰＣ１０において、操作部１２から操作者によりアプリケーション認識動作処理の実行指示が入力されたことなどをトリガとして、ＣＰＵ１１は、記憶部１５から読み出されてＲＡＭ１３に格納されているアプリケーション認識動作プログラムとの協働で、アプリケーション認識動作処理を実行する。
【００７６】
ステップＳ５１，Ｓ５２は、第２の実施の形態の図５のステップＳ３１及びＳ３２と同様である。そして、ステップＳ５２で読み出されたデータに基づいて、アプリケーションの識別情報がメモリカード２１内に記録されているか否かが判別される（ステップＳ５３）。
【００７７】
そして、アプリケーションの識別情報がメモリカード２１内に記録されていない場合（ステップＳ５３；ＮＯ）、アプリケーション登録選択画面が表示部１４に表示される（ステップＳ５４）。アプリケーション登録選択画面としては、例えば、図９（ａ）に示すような画面１４５が表示される。画面１４５には、アプリケーション登録の承認ボタン１４５１と、アプリケーション登録のキャンセルボタン１４５２とが含まれる。
【００７８】
そして、操作部１２を介して操作者により入力された、アプリケーション登録をするか否かの入力に基づいて、アプリケーション登録するか否かが判別される（ステップＳ５５）。アプリケーション登録しない場合（ステップＳ５５；ＮＯ）、アプリケーション認識動作処理が終了される。
【００７９】
アプリケーション登録する場合（ステップＳ５５；ＹＥＳ）、アプリケーション登録画面が表示部１４に表示されて、操作者による操作部１２を介したアプリケーションの識別情報入力に基づいて、アプリケーション登録が行われる（ステップＳ５６）。アプリケーション登録画面としては、例えば、図９（ｂ）に示すような画面１４６が表示される。画面１４６には、識別情報としてのアプリケーション（ソフト）名を選択入力する入力部１４６１と、アプリケーション登録完了の承認ボタン１４６２と、アプリケーション登録完了のキャンセルボタン１４６３とが含まれる。
【００８０】
そして、操作部１２を介して操作者により入力された、アプリケーション登録を完了するか否かの入力に基づいて、アプリケーション登録を完了するか否かが判別される（ステップＳ５７）。アプリケーション登録を完了しない場合（ステップＳ５７；ＮＯ）、アプリケーション認識動作処理が終了される。アプリケーション登録を完了する場合（ステップＳ５７；ＹＥＳ）、ステップＳ５２で読み出されたデータのデータ形式が（記憶部１５への）記憶対象のものか否かが判別される（ステップＳ５８）。ここでは、例えば、データ形式が所定の画像データ形式であるか否かが判別される。
【００８１】
データ形式が記憶対象のものである場合（ステップＳ５８；ＹＥＳ）、ステップＳ５２において読み出されたアプリケーションの識別情報又はステップＳ５６において登録されたアプリケーションの識別情報が参照され、アプリケーションがＥ又はＦのいずれであるかが判別される（ステップＳ５９）。アプリケーションがＥである場合（ステップＳ５９；Ｅ）、アプリケーションＥに対応するデータ記憶選択画面が表示部１４に表示される（ステップＳ６０）。データ記憶選択画面としては、例えば、図９（ｃ）に示すような画面１４７が表示される。画面１４７には、データ記憶の承認ボタン１４７１と、データ記憶のキャンセルボタン１４７２とが含まれる。
【００８２】
そして、メモリカード２１に記録されたデータを記憶部１５のＨＤＤに格納するか否かが判別される（ステップＳ６１）。データを記憶部１５のＨＤＤに格納しない場合（ステップＳ６１；ＮＯ）、アプリケーション認識動作処理が終了される。
【００８３】
データを記憶部１５のＨＤＤに格納する場合（ステップＳ６１；ＹＥＳ）、記憶部１５のＨＤＤに記録するために、その記録領域のディレクトリ及びファイル構成が設定される。具体的には、ディレクトリ名及びそのディレクトリ下のファイル構造が設定され、またステップＳ５２において読み出された記憶対象のデータのファイル名が設定される（ステップＳ６２）。ディレクトリ名としては、例えば、データ記録する場所を識別するロケーションＩＤ、データ書き込み日時、書き込み装置を識別する装置番号、通番などが含められる。記憶対象のデータのファイル名としては、例えば、画像ファイルの画像種別（元画像、サムネイル、スクリーンネイルなど）、データ記録日時、通番などが含められる。
【００８４】
そして、ステップＳ６２において設定されたディレクトリ及びファイル構成に基づいて、メモリカード２１に記録されたデータが記憶部１５のＨＤＤのアプリケーションＥに対応する所定領域に記憶され（ステップＳ６３）、アプリケーション認識動作処理が終了される。
【００８５】
アプリケーションがＦである場合（ステップＳ５９；Ｆ）のステップＳ６４〜Ｓ６７は、ステップＳ６０〜Ｓ６３の各ステップをアプリケーションＦに適用したものである。ステップＳ６４において表示されるデータ記憶選択画面としては、例えば、図９（ｄ）に示すような画面１４８が表示される。画面１４８には、データ記憶の承認ボタン１４８１と、データ記憶のキャンセルボタン１４８２とが含まれる。
【００８６】
データ形式が記憶対象のものでない場合（ステップＳ５８；ＮＯ）、記憶対象のデータが記録されたメモリカード２１のスロットＡ又はＢへのセットを促す旨のメッセージ画面が表示部１４に表示され（ステップＳ６８）、アプリケーション認識動作処理が終了される。
【００８７】
次に、図１０を参照して、アプリケーション識別動作処理によるデータ格納の一例を説明する。先ず、例えば、メモリカード２１のディレクトリ構造２１Ｅに画像データが記憶されている。画像データは、ディレクトリ２１Ｅ１に格納される。アプリケーションの識別情報２１Ｅ２は、例えば、アプリケーション名、アプリケーションＩＤ、パスワード、アプリケーションに関する記憶部１５内のディレクトリ名などが格納される。
【００８８】
そして、ステップＳ６２において、ディレクトリ構造６１Ｅ内のＪＰＥＧの画像データのファイル名と、ディレクトリ１５Ｅ３のディレクトリ名と、元画像データ、サムネイル、スクリーンネイルなどのファイル名とが設定される。ディレクトリ１５Ｅ３は、アプリケーションＥ専用のデータを格納する新しいディレクトリである。そして、ステップＳ６３において、記憶部１５のＨＤＤ内の「Ｓｔｏｒａｇｅ」ディレクトリ１５Ｅ下の、アプリケーションＥ専用のディレクトリ１５Ｅ１の下に、アプリケーションＥに関して以前に記憶されたファイルのディレクトリ１５Ｅ２が存在する構成において、ディレクトリ１５Ｅ１の下に、ディレクトリ１５Ｅ３が格納される。ディレクトリ１５Ｅ３の下には、ステップＳ６２において設定された各種ファイルが格納される。
【００８９】
以上、本実施の形態によれば、スロットＡ又はＢにメモリカード２１がセットされると、当該メモリカード２１に記録されたデータを読み出し、当該メモリカード２１に対応付けられたアプリケーションの識別情報に基づいて、当該読み出したデータを、メモリカード２１に対応付けられた記憶部１５のＨＤＤの記憶領域に記憶させる。このため、アプリケーションごとに、メモリカード２１から読み出したデータを自動的に振り分けて記憶することができる。
【００９０】
なお、上記各実施の形態において、データ記憶制御装置としてＰＣ１０を用いる構成を説明したが、これに限定されるものではない。データ記憶制御装置として、例えば、ＨＤＤレコーダ、ＤＶＤレコーダ、ホームサーバ、ゲーム機、センタサーバ、ポータブルＨＤＤ装置、ポータブルディスクライタ（例えばポータブルＣＤ−Ｒライタなど）、カーナビゲーションシステムなどの、他の装置を用いることとしてもよい。
【００９１】
また、上記各実施の形態において、データの取得元である記録媒体として、メモリカード２１を用いる構成を説明したが、これに限定されるものではない。記録媒体としては、少なくともデータ読み出し可能なものであればよく、例えば、例えば、メモリキー、ＣＤ、ＣＤ−Ｒ、ＣＤ−ＲＷ、ＤＶＤ、ＤＶＤ−Ｒ、ＤＶＤ−ＲＷ、携帯ハードディスク、青色レーザを用いる大容量情報記録媒体（Blu-Lay Disc、HD-DVDなど）などの着脱自在に装着する可搬型のものなどを用いることとしてもよい。さらに、デジタルカメラなどの、撮影画像データなどのデータを内部記憶している外部機器を記録媒体としてもよい。この場合、外部機器とデータ記憶制御装置とをＵＳＢ（Universal Serial Bus）などの通信ケーブル接続や、赤外線通信などの無線通信を介して、データ記憶制御装置により外部機器からデータを読み出す（入力する）構成となる。よって、第１の実施の形態では、外部機器からデータを受信する受信部が複数存在する構成となる。
【００９２】
また、上記各実施の形態において、記憶対象のデータの記憶先（記憶手段）をＤＶＤ−Ｒ２２又は記憶部１５内の記憶領域として説明したが、これに限定されるものではない。記憶手段としては、例えば、少なくともデータ書き込みを行うことができるものであればよく、例えば、メモリキー、ＣＤ−Ｒ、ＣＤ−ＲＷ、ＤＶＤ−ＲＷ、ＤＶＤ−ＲＡＭ、メモリカード、携帯ハードディスク、青色レーザを用いる大容量情報記録媒体などの着脱自在に装着する可搬型のものなどを用いる構成としてもよい。さらに、記憶手段は、データ記憶制御装置の内部に設けられるものに限定されるものでなく、外部機器の記憶手段としてもよい。
【００９３】
また、上記第２及び第３の実施の形態において、ユーザ又はアプリケーションの識別情報は、メモリカード２１の製造番号と対応付けられる構成としてもよい。
【００９４】
また、上記実施の形態における記述は、本発明に係る好適なデータ記憶制御装置及びプログラムの一例であり、これに限定されるものではない。
【図面の簡単な説明】
【００９５】
【図１】本発明に係る第１の実施の形態のＰＣ１０の構成を示す図である。
【図２】ＰＣ１０の内部構成を示す図である。
【図３】第１のスロット認識動作処理を示すフローチャートである。
【図４】第２のスロット認識動作処理を示すフローチャートである。
【図５】ユーザ認識動作処理を示すフローチャートである。
【図６】表示画面の一例を示す図であり、（ａ）は表示画面１４１を示す図であり、（ｂ）は表示画面１４２を示す図であり、（ｃ）は表示画面１４３を示す図であり、（ｄ）は表示画面１４４を示す図である。
【図７】ユーザ認識動作処理におけるデータ格納の一例を示す図である。
【図８】アプリケーション認識動作処理を示すフローチャートである。
【図９】表示画面の一例を示す図であり、（ａ）は表示画面１４５を示す図であり、（ｂ）は表示画面１４６を示す図であり、（ｃ）は表示画面１４７を示す図であり、（ｄ）は表示画面１４８を示す図である。
【図１０】アプリケーション認識動作処理におけるデータ格納の一例を示す。
【符号の説明】
【００９６】
１０  ＰＣ
１１  ＣＰＵ
１１１  制御部
１２  操作部
１３  ＲＡＭ
１４  表示部
１５  記憶部
１６  通信部
１７Ａ，１７Ｂ  メモリカード読み書き部
Ａ，Ｂ  スロット
１８  ＤＶＤ−Ｒ読み書き部
１９  バス
【図１】
2005235018.tif 000003
【図２】
2005235018.tif 000004
【図３】
2005235018.tif 000005
【図４】
2005235018.tif 000006
【図５】
2005235018.tif 000007
【図６】
2005235018.tif 000008
【図７】
2005235018.tif 000009
【図８】
2005235018.tif 000010
【図９】
2005235018.tif 000011
【図１０】
2005235018.tif 000012